(57)【要約】【課題】  従来の遊技光表示装置では、作業者が裏側部品の前側から裏側部品の前面に設けられた複数の電飾基板同士の配線による接続形態の良否を適切に把握できない。【解決手段】  遊技盤１５と、遊技盤１５の前面１７と裏面４２とに貫通するように遊技盤に形成された光透過孔５３と、光透過孔５３を塞いで遊技盤１５の前面１７に取り付けられた光表示部品５１と、光透過孔５３と対応するように遊技盤１５の裏面４２に取り付けられた球案内体４５（裏側部品）と、遊技盤１５の裏側から光透過孔５３を経由して光表示部品５１を照明する光源７８を有し球案内体４５の前面６８に取り付けられた複数の電飾基板４７と、球案内体４５の前面６８の側で複数の電飾基板４７同士を接続する配線７９とを備えたことを特徴とする。【選択図】図１
2006326008.tif 000002
【特許請求の範囲】
【請求項１】
遊技盤と、遊技盤の前面と裏面とに貫通するように遊技盤に形成された光透過孔と、光透過孔を塞いで遊技盤の前面に取り付けられた光表示部品と、光透過孔と対応するように遊技盤の裏面に取り付けられた裏側部品と、遊技盤の裏側から光透過孔を経由して光表示部品を照明する光源を有し裏側部品の前面に取り付けられた複数の電飾基板と、裏側部品の前面の側で複数の電飾基板同士を接続する配線とを備えたことを特徴とする遊技光表示装置。
【請求項２】
裏側部品の裏面に取り付けられた中継基板と、裏側部品の裏面に取り付けられた主制御基板と、遊技盤の前面に取り付けられた遊技部品と、遊技部品に入賞した球を検出する球検出器と、遊技盤の前面に取り付けられた駆動部品と、駆動部品の駆動源とを備え、中継基板には、主制御基板からの配線と球検出器からの配線と駆動源からの配線とが接続されたことを特徴とする請求項１に記載の遊技光表示装置。
【発明の詳細な説明】
【技術分野】
【０００１】
本発明は、裏側部品の前側から裏側部品の前面に設けられた複数の電飾基板同士の配線による接続形態の良否を適切に把握可能な遊技光表示装置に関する。
【背景技術】
【０００２】
図１４は公知の遊技光表示装置５００を示す。図１４において、遊技光表示装置５００は光透過性の有る材質からなる透光性カバー部材としての光表示部品５０１が遊技盤５０２の前面５０３に取り付けられ、集約台枠なる裏側部品５０４が遊技盤５０２の裏面５０５に取り付けられ、ＬＥＤのような光源５０６の実装された複数の配線基板としての電飾基板５０７が裏側部品５０４における遊技盤５０２の側に位置する前面５０８に取り付けられ、光源５０６から放出された光が遊技盤５０２の前面５０３と裏面５０５とに貫通するように遊技盤５０２に形成された光透過孔５１０を経由して光表示部品５０１を照明している。しかしながら、配線孔５１１が裏側部品５０４における複数の電飾基板５０７と対応する位置毎に設けられ、複数の配線５１２が裏側部品５０４の裏側から複数の配線孔５１１を個別に経由して複数の電飾基板５０７に個別に接続された構造である。このため、複数の電飾基板５０７が裏側部品５０４の前面５０８に取り付けられてから裏側部品５０４が遊技盤５０２に取り付けられる前の時点までの間において、作業者が裏側部品５０４の前面５０８に設けられた複数の電飾基板５０７同士の配線による接続形態を裏側部品５０４の前側から把握しようとしても、配線孔５１１が電飾基板５０７で覆い隠されているので、複数の電飾基板５０７同士の配線による接続形態の良否を適切に把握できない。
【特許文献１】特開２００４−２８３２５６号公報
【発明の開示】
【発明が解決しようとする課題】
【０００３】
発明が解決しようとする問題点は、作業者が裏側部品の前側から裏側部品の前面に設けられた複数の電飾基板同士の配線による接続形態の良否を適切に把握できないという点である。
【課題を解決するための手段】
【０００４】
本発明に係る遊技光表示装置は、遊技盤と、遊技盤の前面と裏面とに貫通するように遊技盤に形成された光透過孔と、光透過孔を塞いで遊技盤の前面に取り付けられた光表示部品と、光透過孔と対応するように遊技盤の裏面に取り付けられた裏側部品と、遊技盤の裏側から光透過孔を経由して光表示部品を照明する光源を有し裏側部品の前面に取り付けられた複数の電飾基板と、裏側部品の前面の側で複数の電飾基板同士を接続する配線とを備えたことを特徴とする。前記遊技盤、光透過孔、光表示部品、球案内体、複数の電飾基板、配線に加え、裏側部品の裏面に取り付けられた中継基板と、裏側部品の裏面に取り付けられた主制御基板と、遊技盤の前面に取り付けられた遊技部品と、遊技部品に入賞した球を検出する球検出器と、遊技盤の前面に取り付けられた駆動部品と、駆動部品の駆動源とを備え、中継基板には、主制御基板からの配線と球検出器からの配線と駆動源からの配線とが接続されたことも特徴とする。
【発明の効果】
【０００５】
本発明に係る遊技光表示装置によれば、複数の電飾基板が裏側部品の前面の側における配線により互いに接続されたので、人が、裏側部品の前側から裏側部品の前面に設けられた複数の電飾基板同士の配線による接続形態の良否を適切に把握できる。中継基板に主制御基板からの配線と球検出器からの配線と駆動源からの配線とが接続されるため、人が、主制御基板への入力機器である球検出器と主制御基板との接続形態の良否、及び、主制御基板の出力機器である駆動源と主制御基板との接続形態の良否を適切に把握できる。
【発明を実施するための最良の形態】
【０００６】
図１乃至図１３は、遊技光表示装置の最良の形態を示す。図１は遊技光表示装置を示す。図２は遊技光表示装置を搭載したパチンコ機の前面を示す。図３は遊技光表示装置を形成する遊技主体を分解して示す。図４は遊技主体を裏側から見て示す。図５は遊技主体のうちの球案内体と球案内体の前面に設けられる電飾基板と球案内体の裏面に設けられる中継基板とからなる遊技基板搭載構造体を分解して球案内体の前側から見て示す。図６は遊技基板搭載構造体を分解して球案内体の裏側から見て示す。図７は球案内体の前面を示す。図８は球案内体の裏面を示す。図９は球案内体の前面に複数の電飾基板及び配線が設けられた状態を示す。図１０は球案内体の裏面に複数の中継基板及び配線が設けられた状態を示す。図１１は電飾集合中継基板の球案内体の前面への取付構造を示す。図１２はパチンコ機の縦断面（図２のＡ−Ａ断面に相当）を示す。図１３はパチンコ機の制御系統を示す。
【０００７】
図１を参照し、遊技光表示装置の構造について説明する。遊技光表示装置１は、遊技盤１５、光透過孔５３、光表示部品５１、球案内体４５、複数の電飾基板４７、配線７９を備える。光透過孔５３は、遊技盤１５の前面１７と裏面４２とに貫通するように遊技盤１５に形成される。光表示部品５１は、光透過孔５３を塞いで遊技盤１５の前面１７に取り付けられる。球案内体４５は、光透過孔５３と対応するように遊技盤１５の裏面４２に取り付けられた裏側部品４１を構成する。複数の電飾基板４７は、球案内体４５の前面６８に取り付けられ、遊技盤１５の裏側から光透過孔５３を経由して光表示部品５１を照明する光源７８を有する。配線７９は、球案内体４５の前面６８の側で複数の電飾基板４７同士を接続する。
【０００８】
したがって、遊技光表示装置１の構造によれば、複数の電飾基板４７が球案内体４５の前面６８の側における配線７９により互いに接続されているので、複数の電飾基板４７が球案内体４５の前面６８に取り付けられてから球案内体４５が遊技盤１５に取り付けられる前の時点までの間において、作業者が球案内体４５の前面６８に設けられた複数の電飾基板４７同士の配線７９による接続形態を球案内体４５の前側から把握しようとして目視することによって、複数の電飾基板４７同士の配線７９による接続形態の良否を適切に把握することができるという利点がある。複数の電飾基板４７が球案内体４５の前面６８の側における配線７９により互いに接続されているので、複数の電飾基板４７への配線７９を球案内体４５の前側から裏側に引き出すための配線孔を、球案内体４５における複数の電飾基板４７と対応する位置に設ける必要がないので、複数の電飾基板４７同士を接続する配線７９に対する球案内体４５の構造が簡素化されるという利点もある。
【０００９】
図１において、遊技光表示装置１は、前記遊技盤１５、光透過孔５３、光表示部品５１、球案内体４５、複数の電飾基板４７、配線７９に加え、中継基板４８、主制御基板８５、遊技部品５５、球検出器５８、駆動部品５６、駆動源５７を備える。中継基板４８は、球案内体４５の裏面６９に取り付けられる。主制御基板８５は、球案内体４５の裏面６９に取り付けられる。遊技部品５５は、遊技盤１５の前面１７に取り付けられる。球検出器５８は、遊技部品５５に入賞した球を検出した電気的な信号を主制御基板８５に出力する。駆動部品５６は、遊技盤１５の前面１７に取り付けられる。駆動源５７は、駆動部品５６に設けられ、主制御基板８５から出力される電気的な信号によって制御される。中継基板４８には、主制御基板８５からの配線７９Ａと球検出器５８からの配線７９Ｂと駆動源５７からの配線７９Ｃとが接続される。
【００１０】
したがって、中継基板４８に電飾基板４７が接続されておらず、中継基板４８に主制御基板８５からの配線７９Ａと球検出器５８からの配線７９Ｂと駆動源５７からの配線７９Ｃとが接続されるため、主制御基板８５への入力機器である球検出器５８と主制御基板８５との接続形態の良否、及び、主制御基板８５の出力機器である駆動源５７と主制御基板８５との接続形態の良否を適切に把握できるという利点がある。中継基板４８に電飾基板４７が接続されておらず、中継基板４８に主制御基板８５からの配線７９Ａと球検出器５８からの配線７９Ｂと駆動源５７からの配線７９Ｃとが接続されるため、主制御基板８５で制御される入賞制御系統と演出制御基板９２で制御される電飾制御系統とを明確に区別できるので、誤配線や誤点検を防止することができるという利点がある。
【００１１】
図２を参照し、遊技光表示装置１を搭載したパチンコ機１Ａを説明する。パチンコ機１Ａは、遊技機枠２と遊技機枠２に装着される遊技主体３とで構成される。遊技機枠２は、遊技店の島と呼ばれる図外の遊技機設置構造体に設置される。遊技機枠２は、固定枠４の前側に可動枠５を左側に位置するヒンジ６で前側の横方向に片開き可能に取り付け、可動枠５の前側に前面扉７および球皿構造体８を左側に位置するヒンジ９で前側の横方向に片開き可能に取付けた構造である。固定枠４は、遊技機設置構造体に取付けるための外枠と呼ばれ、前後方向に開放された縦長な長方形の空間を囲む額縁形状である。可動枠５は、前枠または中枠と呼ばれる。前面扉７は、前後方向に貫通する開口部１０を囲む額縁形状である。前面扉７の裏面には、ガラスまたは合成樹脂からなる光透過性を有するパネル１１が開口部１０を塞ぐ格好で取り付けられる。球皿構造体８の前面には、球皿１２と発射操作機構１３とが設けられる。球皿１２の裏側に対応する可動枠５の前面には、発射機構１４が設けられる。遊技主体３を形成する遊技盤１５は、開口部１０の裏側に位置するように可動枠５の遊技盤収納部１６に取り付けられる。
【００１２】
遊技盤１５の前面１７には、ガイドレール２２、盤面飾り２３、センター飾り２４、左サイド飾り２５、右サイド飾り２６、始動入賞部品２７、複合入賞部品２８、作動部品２９、風車３０、多数の遊技釘３１が取付けられる。ガイドレール２２により、遊技盤１５の前面１７に、球の飛び交う遊技領域１９が囲み形成される。遊技領域１９は、ガイドレール２２を構成する内ガイドレール２０と外ガイドレール２１と可動枠５に対して閉じられた前面扉７のパネル１１とにより区切られた遊技盤１５の前面領域により形成される。盤面飾り２３は、ガイドレール２２の外側に位置する遊技盤１５の前面１７に取り付けられる。センター飾り２４、左サイド飾り２５、右サイド飾り２６、始動入賞部品２７、複合入賞部品２８、作動部品２９、風車３０、多数の遊技釘３１は、ガイドレール２２の内側に位置する遊技盤１５の前面１７に取り付けられて遊技領域１９を形成する。左サイド飾り２５は、左袖の一般入賞部品３２ａを備える。右サイド飾り２６も、右袖の一般入賞部品３２ｂを備える。複合入賞部品２８は、可変入賞部品３３と左の一般入賞部品３４ａと右の一般入賞部品３４ｂとを備える。始動入賞部品２７、一般入賞部品３２ａ；３２ｂ、可変入賞部品３３、一般入賞部品３４ａ；３４ｂは、遊技領域１９から遊技盤１５の裏側に球Ｐ（遊技媒体であるいわゆるパチンコ球、以下符号Ｐを省略する）を取り込む球取込型である。作動部品２９は、遊技領域１９からの球を取り込んで遊技盤１５の裏側に導くことなく遊技領域１９に排出する球通過型である。内ガイドレール２０と外ガイドレール２１との間により発射通路３６が形成される。発射通路３６の出口には、戻球防止弁３７が設けられる。戻球防止弁３７は、発射機構１４から発射通路３６を通過して戻球防止弁３７を押し開けて遊技領域１９に発射された球が遊技領域１９から発射通路３６に戻るのを防止する。センター飾り２４の裏側には演出図柄を表示する電気的な演出表示装置９１、当たり外れ図柄を表示する主特別図柄表示器３８、普通図柄を表示する普通図柄表示器３９が配置される。前面扉７には音声出力部７ａ、賞球ランプ表示部７ｂ、打止完了ランプ表示部７ｃが設けられる。音声出力部７ａの裏側にはスピーカ８ａが配置され、賞球ランプ表示部７ｂの裏側には賞球ランプ８ｂ、打止完了ランプ表示部７ｃの裏側には打止完了ランプ８ｃが配置される。
【００１３】
図３に示すように、遊技主体３は、遊技盤１５と前側部品４０と裏側部品４１とで構成される。遊技盤１５は、遊技盤１５の前面１７と裏面４２とに貫通するように遊技盤１５に形成された複数の部品逃孔４３とアウト口４４を備える。前側部品４０は、遊技盤１５の前面１７に取り付けられるガイドレール２２、盤面飾り２３、センター飾り２４、左サイド飾り２５、右サイド飾り２６、始動入賞部品２７、複合入賞部品２８、作動部品２９、及び図２に示す風車３０、多数の遊技釘３１である。裏側部品４１は、遊技盤１５の裏面４２に取付けられるセット板と呼ばれる球案内体４５、及び、球案内体４５に取付けられる複数の電飾基板４７、複数の中継基板４８、主制御装置４９、演出表示制御ユニット５０等である。
【００１４】
前側部品４０のうち、センター飾り２４、左サイド飾り２５、右サイド飾り２６、始動入賞部品２７は、それぞれ個別に光表示部品５１として機能する。光表示部品５１は、光透過性を有する合成樹脂により形成されて光を透過する光透過部５２を備える。光表示部品５１として機能するセンター飾り２４、左サイド飾り２５、右サイド飾り２６、始動入賞部品２７のそれぞれに対応して遊技盤１５に個別に設けられた部品逃孔４３は、光透過孔５３として機能する。センター飾り２４、左サイド飾り２５、右サイド飾り２６、始動入賞部品２７は、対応する光透過孔５３の径より大径で遊技盤１５の前側から光透過孔５３を塞ぐ前部５４を備える。前部５４が、光透過部５２と取付フランジ５４ａとを備える。遊技盤１５の前側から光表示部品５１の前部５４で光透過孔５３を塞ぎ、止ねじ５４ｂが取付フランジ５４ａに形成された貫通孔５４ｃを経由して遊技盤１５の前面１７に締結されることで、光表示部品５１が光透過孔５３を塞いで遊技盤１５の前面１７に取り付けられる。
【００１５】
図２で示すように、始動入賞部品２７、複合入賞部品２８、左右の作動部品２９ａ；２９ｂ、一般入賞部品３２ａ；３２ｂは、それぞれ個別に入賞球を検出する球検出器を有する遊技部品５５として機能する。始動入賞部品２７の電動チューリップと呼ばれるような開閉体２７ａが駆動部品５６として機能する。開閉体２７ａを開閉駆動する駆動源としての始動ソレノイド２７ｂが駆動源５７として機能する。始動入賞部品２７、左右の作動部品２９ａ；２９ｂ、可変入賞部品３３、一般入賞部品３４ａ；３４ｂは、それぞれ入賞した球を検出する球検出器５８を個別に備える。一般入賞部品３２ａ；３２ｂの球検出器１３６；１３８は、球案内体４５に設けられる（図９参照）。したがって、本形態においては、始動入賞部品２７が、光表示部品５１、遊技部品５５として機能し、さらに、駆動部品５６、駆動源５７、球検出器５８を備える。
【００１６】
図３に戻り、前側部品４０である複合入賞部品２８、作動部品２９ａ；２９ｂは、対応する部品逃孔４３の径より大径で遊技盤１５の前側から部品逃孔４３を塞ぐ前部５９を備える。前部５９が取付フランジ６０を備える。遊技盤１５の前側から前側部品４０の前部５９で部品逃孔４３を塞ぎ、止ねじ６１が取付フランジ６０に形成された貫通孔６２を経由して遊技盤１５の前面１７に締結されることで、複合入賞部品２８、作動部品２９ａ；２９ｂが部品逃孔４３を塞いで遊技盤１５の前面１７に取り付けられる。
【００１７】
球案内体４５は、板状の基盤６５と基盤６５の周縁部より前方に突出する隔壁６６とを備え、基盤６５と隔壁６６とにより前側から裏側に窪む凹部６７の形成された前側開口の箱形状である。基盤６５には基盤６５の前面６８（球案内体４５の前面）と裏面６９（球案内体４５の裏面）とに貫通する表示孔７０が形成される。表示孔７０は、横に長い長方形形状であり、四角の演出表示制御ユニット５０の表示面７１を基盤６５の裏側から基盤６５の前側に臨ませる貫通孔である。
【００１８】
基盤６５の前面６８には複数の電飾基板４７が設けられる。複数の電飾基板４７は、電飾集合中継基板７２、センター下電飾基板７３、センター右電飾基板７４、左サイド電飾基板７５、右サイド電飾基板７６、始動電飾基板７７である。電飾基板４７には、遊技盤１５の裏側から光透過孔５３を経由して光表示部品５１を照明するＬＥＤのような光源７８が実装される。遊技盤１５の裏側に設けられる光源７８の光が、光透過孔５３及び光表示部品５１の光透過部５２を経由して遊技盤１５の前側に透過する。複数の電飾基板４７同士は、基盤６５の前面６８に設けられた複数の配線７９により互いに接続される。複数の配線７９は、配線３４０；３４１；３４２；３４３；３４４である。
【００１９】
図４；図１０；図１２に示すように、基盤６５の裏面６９には、中継基板４８、主制御装置４９、演出表示制御ユニット５０、主制御取付台８３などが設けられる。複数の中継基板４８は、左中継基板８０、右中継基板８１、盤用外部中継基板（情報出力基板）８２である。中継基板４８には、主制御中継基板８７経由による主制御基板８５からの配線７９Ａと球検出器からの配線７９Ｂと始動ソレノイド２７ｂ（駆動源５７）からの配線７９Ｃとが接続される。図１０に示すように、複数の配線７９Ａは配線３５０；３６０である。複数の配線７９Ｂは配線３５１；３６１；３５２；３６２である。配線７９Ｃは配線３５３である。主制御装置４９は、基盤６５の裏面６９に取り付けられる主制御取付台８３に搭載される。主制御装置４９は、筐体８４の内部に電気部品の実装された主制御基板８５を備える。主制御取付台８３の筐体８６には、主制御中継基板８７が設けられ、主制御中継基板８７と主制御基板８５とがコネクタ８８；８９により互いに接続される（図４参照）。演出表示制御ユニット５０は、筐体９０内に演出表示装置９１と図外の電気部品の実装された演出制御基板９２とを備える。演出表示装置９１は表示面７１を形成する表示パネル９３と表示パネル９３を制御する表示パネル制御基板９４とにより構成される。筐体９０の内部の前側には演出表示装置９１が設けられ、筐体９０の内部の裏側には演出制御基板９２が設けられる。演出制御基板９２は、演出表示装置９１、複数の電飾基板に実装された光源７８、前面扉７の裏面に設けられたスピーカ８ａ、賞球ランプ８ｂ、打止完了ランプ８ｃによる演出を制御する。配線７９；７９Ａ〜７９Ｃとしてはフレキシブル（可撓性のある）配線材料が用いられる。
【００２０】
演出表示制御ユニット５０と球案内体４５とに設けられた取付部材９５；９６によって、演出表示制御ユニット５０が球案内体４５の表示孔７０を塞ぐように球案内体４５の基盤６５の裏面６９に取り付けられる（図４参照）。止ねじ９７が主制御取付台８３の取付足９８に形成された貫通孔９９を経由して基盤６５の裏面６９に締結されて、主制御取付台８３が球案内体４５の基盤６５の裏面６９における下部に取り付けられる（図４参照）。止ねじ１００が球案内体４５の取付支柱１０１に形成された貫通孔１０２を経由して遊技盤１５の裏面４２に締結される（図４参照）。これにより、球案内体４５が光表示部品５１の光透過孔５３を遊技盤１５の裏側から覆う。つまり、球案内体４５の凹部６７内に光源７８が収納される形態となるので、光源７８からの光が光表示部品５１の方向以外に漏れにくくなり、光表示部品５１により電飾効果を向上できる。
【００２１】
図５乃至図１１を参照し、本形態による遊技基板搭載構造体１１０を説明する。図５；６に示すように、遊技基板搭載構造体１１０は、球案内体４５と球案内体４５の基盤６５の前面６８に設けられる複数の電飾基板４７と球案内体４５の基盤６５の裏面６９に設けられる複数の中継基板４８とにより形成される。
【００２２】
図７；図８を参照し、球案内体４５の構成を詳しく説明する。球案内体４５の基盤６５には、表示孔７０の他に、基盤６５の前面６８と裏面６９とに貫通する表示配線孔１１１、始動電飾基板中継孔１１２、可変電飾基板中継孔１１３、演出制御コネクタ逃孔１１４、枠コネクタ逃孔１１５が形成される。
【００２３】
図７に示すように、基盤６５の前面６８には、電飾基板４７の取付支柱１１６；１１７；１１８；１１９；１２０；１２１、電飾基板４７の取付係合部１２２；１２３；１２４；１２５；１２６、配線保持部１２７；１２８、遊技盤１５の裏面に対する位置決め突起１２９、遊技盤１５の裏面４２への取付支柱１０１、球通路１３０；１３１、始動入賞球排出部１３２、一般入賞球排出部１３３、可変入賞球排出部１３４が設けられる。球通路１３０；１３１は、基盤６５の前面６８より前方に突出する隔壁１３５により仕切られた前方及び下部開放の凹部により形成される。球通路１３０は、遊技盤１５に取り付けられた左サイド飾り２５の一般入賞部品３２ａの図外の球排出口と連接する。球通路１３０は、通路の途中箇所に、左サイド飾り２５の一般入賞部品３２ａに取り込まれて一般入賞部品３２ａの図外の球排出口より排出された球を検出する球検出器１３６（図９参照）を取り付けるための取付部１３７を備える。球通路１３１は、遊技盤１５に取り付けられた右サイド飾り２６の一般入賞部品３２ｂの図外の球排出口と連接する。球通路１３１は、通路の途中箇所に、右サイド飾り２６の一般入賞部品３２ｂに取り込まれて一般入賞部品３２ｂの図外の球排出口より排出された球を検出する球検出器１３８（図９参照）を取り付けるための取付部１３９を備える。
【００２４】
図８に示すように、基盤６５の裏面６９には、左中継基板８０の取付部１４０、右中継基板８１の取付部１４１、盤用外部中継基板８２の取付支柱１４２、配線保持部１４３、主制御取付台８３の取付係合部１４４、主制御取付台８３の取付支柱１４５、演出表示制御ユニット５０の取付部材９６、演出表示制御ユニット５０の取付係合部１４６、演出表示制御ユニット５０の支持台１４７、球検出器１３６の係止爪１４８、球検出器１３８の係止爪１４９が設けられる。左中継基板８０や右中継基板８１の取付部１４０；１４１は、裏面６９より裏側に突出した隔壁１５０により囲まれた枠部により形成される。枠部の形状は、左中継基板８０；右中継基板８１の外形形状にあわせて形成される。隔壁１５０の一部には取付孔１５１と取付係止部１５２とが形成される。このように、取付部１４０；１４１が、左中継基板８０；右中継基板８１の外形形状にあわせて形成されているので、作業者が左中継基板８０；右中継基板８１の取付位置を容易に判断でき、誤取付を防止できる。
【００２５】
図５を参照し、複数の電飾基板４７の取付構造を説明する。電飾集合中継基板７２は、表示孔７０の左縁の横に位置する基盤６５の前面６８に取り付けられる。電飾集合中継基板７２は、光源７８を実装し、複数の電飾基板の中継基板として機能するとともにセンター左電飾基板としても機能する。電飾集合中継基板７２の裏面１５５（つまり、基盤６５の前面６８と向き合う面）には演出制御コネクタ１５６と枠コネクタ１５７とが個別に実装される。演出制御コネクタ逃孔１１４の上縁の上に位置する基盤６５の前面６８と演出制御コネクタ逃孔１１４の下縁の下に位置する基盤６５の前面６８とには上下一対で設けられた取付支柱１１６；１１６を備える。取付係合部１２２は、基盤６５の前面６８より前方に突出する突出片１２２ｂと突出片１２２ｂの前端より右側に延長する爪１２２ａとで形成される（図７参照）。一方、電飾集合中継基板７２には、取付支柱１１６；１１６を電飾集合中継基板７２の裏面１５５から電飾集合中継基板７２の前面１５８に貫通させる上下一対の貫通孔１５９；１５９が設けられる。よって、電飾集合中継基板７２の裏面１５５を基盤６５の前面６８に向け、演出制御コネクタ１５６を演出制御コネクタ逃孔１１４経由で球案内体４５の裏側に突出させるとともに取付支柱１１６；１１６の前端を電飾集合中継基板７２の裏側から貫通孔１５９；１５９に通して電飾集合中継基板７２の前側に突出させ、枠コネクタ１５７を枠コネクタ逃孔１１５経由で球案内体４５の裏側に突出させた状態において、電飾集合中継基板７２の左縁部の一部を爪１２２ａの裏に位置させる。そして、取付支柱１１６；１１６の前端に押え板１６０を設けて、止ねじ１６１が押え板１６０の貫通孔１６２；１６２を貫通して取付支柱１１６の前部に締結されることで、電飾集合中継基板７２が取付支柱１１６；１１６に取り付けられる（図１１参照）。図１１に示すように、電飾集合中継基板７２の貫通孔１５９の径は取付支柱１１６の径より大きく、演出制御コネクタ逃孔１１４の径は演出制御コネクタ１５６の径より大きく、取付支柱１１６の台座１６４と取付支柱１１６に締結された押え板１６０との間の長さａは、電飾集合中継基板７２の板の厚さｂより大きい。また、図１１で図示しないが、枠コネクタ逃孔１１５の径は枠コネクタ１５７の径より大きく、取付支柱１１６の台座１６４と爪１２２ａの裏面との間の長さは、電飾集合中継基板７２の板の厚さｂより大きい。従って、電飾集合中継基板７２は球案内体４５の基盤６５の前面６８と直交する方向Ｘ及び基盤６５の前面６８に沿う方向Ｙに可動な状態に取り付けられる。これにより、演出表示制御ユニット５０の演出制御基板９２の演出制御コネクタ１５６Ａと電飾集合中継基板７２の演出制御コネクタ１５６とのコネクタ同士による接続作業の際の演出制御コネクタ１５６Ａと演出制御コネクタ１５６との位置合わせを容易とできるとともに、演出表示制御ユニット５０から演出制御コネクタ１５６Ａ及び演出制御コネクタ１５６への応力集中を防止でき、演出制御コネクタ１５６Ａ及び演出制御コネクタ１５６の損傷、接触不良などを防止できる。演出制御コネクタ１５６Ａと演出制御コネクタ１５６とが互いに接続されることで、演出制御基板９２と電飾集合中継基板７２とが電気的に互いに接続され、演出制御基板９２が複数の電飾基板４７の光源７８の点灯制御を行う。演出制御基板９２を備えた演出表示制御ユニット５０は基盤６５の裏面６９に取り付けられる。図８に示すように、基盤６５の裏面６９に演出表示制御ユニット５０用の取付係合部１４６、支持台１４７、取付部材９６を設けたので、演出表示制御ユニット５０の球案内体４５の裏面６９への取付け作業が容易となり、また、演出表示制御ユニット５０を球案内体４５の裏面６９に安定に取り付けることができる。また、電飾基板４７に対応して基盤６５に形成される配線孔は、演出制御コネクタ逃孔１１４と枠コネクタ逃孔１１５だけであるので、基盤６５に設ける電飾基板４７の配線用の配線孔を少なくでき、球案内体４５の構造の簡素化、及び、球案内体４５の強度低下を小さくできる。尚、電飾集合中継基板７２の前面１５８には、センター下電飾基板接続コネクタ１６６、センター右電飾基板接続コネクタ１６７、左サイド電飾基板接続コネクタ１６８が個別に実装される。
【００２６】
センター下電飾基板７３は、表示孔７０の下縁の下に位置する基盤６５の前面６８に取り付けられる。表示孔７０の下縁の下に位置する基盤６５の前面６８における左側には上下一対で設けられたセンター下取付支柱１１７；１１７を備える。表示孔７０の下縁の下に位置する基盤６５の前面６８における右側には取付係合部１２３を備える。取付係合部１２３は、基盤６５の前面６８より前方に突出する突出片１２３ｂと突出片１２３ｂの前端より左側に延長する爪１２３ａとで形成される。一方、センター下電飾基板７３は前面１７０に電飾集合中継基板接続コネクタ１７１及び始動電飾基板接続コネクタ１７２を備える。センター下電飾基板７３の取付方法を説明する。センター下電飾基板７３の裏面１７３を基盤６５の前面６８に向け、センター下電飾基板７３の右縁部を取付係合部１２３の爪１２３ａの裏に位置させ、かつ、センター下電飾基板７３の左縁部の裏面を取付支柱１１７；１１７の前端に載せた状態で、止ねじ１７４がセンター下電飾基板７３の左縁部に設けられた貫通孔１７５を貫通して取付支柱１１７の前部に締結されることで、センター下電飾基板７３が取付支柱１１７；１１７に取り付けられる（図９参照）。
【００２７】
センター右電飾基板７４は、表示孔７０の右縁の右に位置する基盤６５の前面６８に取り付けられる。表示孔７０の右縁の右に位置する基盤６５の前面６８における上部には左右一対で設けられた取付支柱１１８；１１８を備える。表示孔７０の右縁の右に位置する基盤６５の前面６８における下部には表示孔７０の下縁の下に位置する基盤６５の前面６８における右側には取付係止部１２４を備える。取付係止部１２４は、基盤６５の前面６８より前方に突出する突出片１２４ｂと突出片１２４ｂの前端より上側に延長する爪１２４ａとで形成される（図７参照）。一方、センター右電飾基板７４は前面１８０の上部に電飾集合中継基板接続用コネクタ１８１を備え、前面１８０の下部に右サイド電飾基板接続用コネクタ１８２を備える。センター右電飾基板７４の取付方法を説明する。センター右電飾基板７４の裏面１８３を基盤６５の前面６８に向け、センター下電飾基板７４の下縁部の前面を取付係止部１２４の爪１２４ａの裏に位置させ、かつ、センター下電飾基板７４の上部の裏面を取付支柱１１８；１１８の前端に載せた状態で、止ねじ１８４がセンター右電飾基板７４の上部に形成された貫通孔１８５を貫通して取付支柱１１８の前部に締結されることで、センター右電飾基板７４が取付支柱１１８に取り付けられる。
【００２８】
左サイド電飾基板７５は、基盤６５の前面６８における左下部に取り付けられる。基盤６５の前面６８における左下部の左端部には取付支柱１１９を備え、基盤６５の前面６８における左下部の下部には取付係止部１２５とを備える。取付係止部１２５は、基盤６５の前面６８より前方に突出する突出片１２５ｂと突出片１２５ｂの前端より上側に延長する爪１２５ａとで形成される（図７参照）。一方、左サイド電飾基板７５は前面１９０の上部に電飾集合中継基板接続用コネクタ１９１を備える。左サイド電飾基板７５の取付方法を説明する。左サイド電飾基板７５の裏面１９２を基盤６５の前面６８に向け、左サイド電飾基板７５の下縁部の前面を取付係止部１２５の爪１２５ａの裏に位置させ、かつ、左サイド電飾基板７５の上部の裏面を取付支柱１１９の前端に載せた状態で、止ねじ１９３が左サイド電飾基板７５の上部に形成された貫通孔１９４を貫通して取付支柱１１９の前端から後端に向けて設けられた取付孔１９５に締結されることで、左サイド電飾基板７５が取付支柱１１９に取り付けられる（図９参照）。
【００２９】
右サイド電飾基板７６は、基盤６５の前面６８における右下部に取り付けられる。基盤６５の前面６８における右下部の右端部には取付支柱１２０を備え、基盤６５の前面６８における右下部の下部には取付係止部１２６とを備える。取付係止部１２６は、基盤６５の前面６８より前方に突出する突出片１２６ｂと突出片１２６ｂの前端より上側に延長する爪１２６ａとで形成される（図７参照）。一方、右サイド電飾基板７６は前面２００の上部にセンター右電飾基板接続用コネクタ２０１を備える。右サイド電飾基板７６の取付方法を説明する。右サイド電飾基板７６の裏面２０２を基盤６５の前面６８に向け、右サイド電飾基板７６の下縁部の前面を取付係止部１２６の爪１２６ａの裏に位置させ、かつ、右サイド電飾基板７６の上部の裏面を取付支柱１２０の前端に載せた状態で、止ねじ２０３が右サイド電飾基板７６の上部に形成された貫通孔２０４を貫通して取付支柱１２０の前端から後端に向けて設けられた取付孔２０５に締結されることで、左サイド電飾基板７５が取付支柱１２０に取り付けられる（図９参照）。
【００３０】
始動電飾基板７７は、始動電飾基板中継孔１１２の周縁部の周りにおける基盤６５の前面６８に取り付けられる。始動電飾基板中継孔１１２の周縁部の４つの角部に対応する基盤６５の前面６８には、それぞれ取付支柱１２１を備える。一方、始動電飾基板７７の前面２１０の右上部にはセンター下電飾基板接続用コネクタ２１１を備える。始動電飾基板７７の取付方法を説明する。始動電飾基板７７の裏面２１２を基盤６５の前面６８に向け、始動電飾基板７７の裏面２１２を４つの取付支柱１２１の前端に載せた状態で、止ねじ２１３が始動電飾基板７７の周縁部に形成された貫通孔２１４を貫通して取付支柱１２１の前部に締結されることで、始動電飾基板７７が取付支柱１２１に取り付けられる（図９参照）。
【００３１】
図６を参照し、複数の中継基盤４８の取付構造を説明する。左中継基板８０は表示孔７０の左縁に沿って設けられた取付部１４０に取り付けられる。取付部１４０には取付孔１５１と取付係止部１５２とが形成される。取付係止部１５２は、基盤６５の裏面６９より後方に突出する突出片１５２ｂと突出片１５２ｂの後端より左側に延長する爪１５２ａとで形成される（図８参照）。一方、左中継基板８０の裏面２２０の上部には盤用外部中継基板接続用コネクタ２２１、左の作動部品２９ａの球検出器５８との接続用コネクタ２２２を備え、裏面２２０の下部には主制御中継基板接続用コネクタ２２３、左袖の一般入賞部品３２ａの球検出器１３６との接続用コネクタ２２４、始動入賞部品２７の開閉体２７ａの駆動源５７としての始動ソレノイド２７ｂとの接続用コネクタ２２８を備える。左中継基板８０の取付方法を説明する。左中継基板８０の前面２２５を基盤６５の裏面６９に向け、左中継基板８０の裏面２２０の右縁部を爪１５２ａの前に位置させて、左中継基板８０の裏面２２０の縁部を取付部１４０の隔壁１５０の裏面に載せた状態で、止ねじ２２６が左中継基板８０に形成された貫通孔２２７を貫通して取付孔１５１に締結されることで、左中継基板８０が取付部１４０に取り付けられる（図１０参照）。
【００３２】
右中継基板８１は表示孔７０の右縁に沿って設けられた取付部１４１に取り付けられる。取付部１４１には取付孔１５１と取付係止部１５２とが形成される。取付係止部１５２は、基盤６５の裏面６９より後方に突出する突出片１５２ｂと突出片１５２ｂの後端より左側に延長する爪１５２ａとで形成される（図８参照）。一方、右中継基板８１の裏面３２０の上部には主特別図柄表示器３８及び普通図柄表示器３９との接続用コネクタ３２１、右の作動部品２９ｂの球検出器５８との接続用コネクタ３２２を備え、裏面３２０の下部には主制御中継基板接続用コネクタ３２３、右袖の一般入賞部品３２ｂの球検出器１３８との接続用コネクタ３２４を備える。右中継基板８１の取付方法を説明する。右中継基板８１の前面３２５を基盤６５の裏面６９に向け、右中継基板８１の裏面３２０の左縁部を爪１５２ａの前に位置させて、右中継基板８１の裏面３２０の縁部を取付部１４１の隔壁１５０の裏面に載せた状態で、止ねじ３２６が右中継基板８１に形成された貫通孔３２７を貫通して取付孔１５１に締結されることで、右中継基板８１が取付部１４１に取り付けられる（図１０参照）。
【００３３】
盤用外部中継基板８２は、基盤６５の裏面６９の左上部に設けられる。基盤６５の裏面６９の左上部には、矩形形状の盤用外部中継基板８２の４つの角部に対応してそれぞれ取付支柱１４２を備える。一方、盤用外部中継基板８２は、裏面３３０の下部に左中継基板接続用コネクタ３３１を備える。盤用外部中継基板８２の取付方法を説明する。盤用外部中継基板８２の前面３３２を基盤６５の裏面６９に向け、盤用外部中継基板８２の前面３３２を４つの取付支柱１４２の裏面に載せた状態で、止ねじ３３３が盤用外部中継基板８２の角部に形成された貫通孔３３４を貫通して取付支柱１４２に締結されることで、盤用外部中継基板８２が取付支柱１４２に取り付けられる（図１０参照）。
【００３４】
図９を参照し、複数の電飾基板４７同士の互いに接続する配線について説明する。電飾集合中継基板７２とセンター下電飾基板７３とが配線３４０により互いに接続される。つまり、配線３４０の一端に設けられた図外の接続用コネクタと電飾集合中継基板７２に設けられたセンター下電飾基板接続用コネクタ１６６とを互いに接続し、配線３４０の他端に設けられた図外の接続用コネクタとセンター下電飾基板７３に設けられた電飾集合中継基板接続用コネクタ１７１とを互いに接続することによって、電飾集合中継基板７２とセンター下電飾基板７３とが基盤６５の前面６８の側において配線３４０により互いに接続される。電飾集合中継基板７２とセンター右電飾基板７４とが配線３４１により互いに接続される。つまり、配線３４１の一端に設けられた図外の接続用コネクタと電飾集合中継基板７２に設けられたセンター右電飾基板接続用コネクタ１６７とを互いに接続し、配線３４１の他端に設けられた図外の接続用コネクタとセンター右電飾基板７４に設けられた電飾集合中継基板接続用コネクタ１８１とを互いに接続することによって、電飾集合中継基板７２とセンター右電飾基板７４とが基盤６５の前面６８の側において配線３４１により互いに接続される。配線３４１は配線保持部１２７により基盤６５の前面６８に沿って保持されるので、配線３４１を安定に保持できる。配線案内部電飾集合中継基板７２と左サイド電飾基板７５とが配線３４２により互いに接続される。つまり、配線３４２の一端に設けられた図外の接続用コネクタと電飾集合中継基板７２に設けられた左サイド電飾基板接続用コネクタ１６８とを互いに接続し、配線３４２の他端に設けられた図外の接続用コネクタと左サイド電飾基板７５に設けられた電飾集合中継基板接続用コネクタ１９１とを互いに接続することによって、電飾集合中継基板７２と左サイド電飾基板７５とが基盤６５の前面６８の側において配線３４２により互いに接続される。配線３４２は配線保持部１２８により球案内体４５の隔壁６６の内面に沿って保持されるので、配線３４２を安定に保持できる。センター右電飾基板７４と右サイド電飾基板７６とが配線３４３により互いに接続される。つまり、配線３４３の一端に設けられた図外の接続用コネクタとセンター右電飾基板７４に設けられた右サイド電飾基板接続用コネクタ１８２とを互いに接続し、配線３４３の他端に設けられた図外の接続用コネクタと右サイド電飾基板７６に設けられたセンター右電飾基板接続用コネクタ２０１とを互いに接続することによって、センター右電飾基板７４と右サイド電飾基板７６とが基盤６５の前面６８の側において配線３４３により互いに接続される。センター下電飾基板７３と始動電飾基板７７とが配線３４４により互いに接続される。つまり、配線３４４の一端に設けられた図外の接続用コネクタとセンター下電飾基板７３に設けられた始動電飾基板接続用コネクタ１７２とを互いに接続し、配線３４４の他端に設けられた図外の接続用コネクタと始動電飾基板７７に設けられたセンター下電飾基板接続用コネクタ２１１とを互いに接続することによって、センター下電飾基板７３と始動電飾基板７７とが基盤６５の前面６８の側において配線３４４により互いに接続される。即ち、球案内体４５の基盤６４の前面６８の側で複数の電飾基板４７同士を接続する複数の配線７９としての配線３４０；３４１；３４２；３４３；３４４を備える。図１３に示すように、基盤６５の前面６８の側において複数の電飾基板４７が互いに接続され、演出制御基板９２が電飾基板４７のうちの電飾集合中継基板７２に接続されたので、演出制御基板９２で制御される電飾制御系統と主制御基板８５で制御される入賞制御系統とを明確に区別でき、誤配線や誤点検を防止できるという利点がある。
【００３５】
図１０に示すように、左中継基板８０と主制御中継基板８７（図３参照）とが配線３５０により互いに接続される。つまり、配線３５０の一端に設けられた図外の接続用コネクタと左中継基板８０に設けられた主制御中継基板接続用コネクタ２２３とが互いに接続され、配線３５０の他端に設けられた図外の接続用コネクタと主制御中継基板８７に設けられた図外の左中継基板接続用コネクタとが互いに接続されることによって、左中継基板８０と主制御中継基板８７とが基盤６５の裏面６９の側において配線３５０により互いに接続される。左中継基板８０と左の作動部品２９ａの球検出器５８とが配線３５１により互いに接続される。つまり、配線３５１の一端に設けられた図外の接続用コネクタと左中継基板８０に設けられた球検出器接続用コネクタ２２２とが互いに接続され、配線３５１の他端に設けられた図外の接続用コネクタと球検出器とが互いに接続されることによって、左中継基板８０と球検出器５８とが基盤６５の裏面６９の側において配線３５１により互いに接続される。左中継基板８０と左袖の一般入賞部品３２ａの球検出器１３６とが配線３５２により互いに接続される。つまり、配線３５２の一端に設けられた図外の接続用コネクタと左中継基板８０に設けられた球検出器との接続用コネクタ２２４とが互いに接続され、配線３５２の他端に設けられた図外の接続用コネクタと球検出器とが互いに接続されることによって、左中継基板８０と球検出器１３６とが基盤６５の裏面６９の側において配線３５２により互いに接続される。左中継基板８０と始動入賞部品２７の始動ソレノイド２７ｂとが配線３５３により互いに接続される。つまり、配線３５３の一端に設けられた図外の接続用コネクタと左中継基板８０に設けられたソレノイドとの接続用コネクタ２２８とが互いに接続され、配線３５３の他端に設けられた図外の接続用コネクタと始動ソレノイド２７ｂとが互いに接続されることによって、左中継基板８０と始動ソレノイド２７ｂとが配線３５３により互いに接続される。すなわち、図１３に示す主制御中継基板８７を経由した主制御基板８５からの配線３５０と球検出器５８；１３６からの配線３５１；３５２と始動ソレノイド２７ｂからの配線３５３とが、基盤６５の裏面６９に設けられた左中継基板８０に接続されたので、主制御基板８５で制御される入賞制御系統と演出制御基板９２で制御される電飾制御系統とを明確に区別でき、誤配線や誤点検を防止することができるという利点がある。
【００３６】
図１０に示すように、右中継基板８１と主制御中継基板８７とが配線３６０により互いに接続される。つまり、配線３６０の一端に設けられた図外の接続用コネクタと右中継基板８１に設けられた主制御中継基板接続用コネクタ３２３とが互いに接続され、配線３６０の他端に設けられた図外の接続用コネクタと主制御中継基板８７に設けられた図外の右中継基板接続用コネクタとが互いに接続されることによって、右中継基板８１と主制御中継基板８７とが基盤６５の裏面６９の側において配線３６０により互いに接続される。右中継基板８１と右の作動部品２６ｂの球検出器５８とが配線３６１により互いに接続される。つまり、配線３６１の一端に設けられた図外の接続用コネクタと右中継基板８０に設けられた球検出器接続用コネクタ３２２とが互いに接続され、配線３６１の他端に設けられた図外の接続用コネクタと球検出器５８とが互いに接続されることによって、右中継基板８１と球検出器５８とが基盤６５の裏面６９の側において配線３６１により互いに接続される。右中継基板８１と右袖の一般入賞部品３２ｂの球検出器１３８とが配線３６２により互いに接続される。つまり、配線３６２の一端に設けられた図外の接続用コネクタと右中継基板８１に設けられた球検出器接続用コネクタ３２４とが互いに接続され、配線３６２の他端に設けられた図外の接続用コネクタと球検出器１３８とが互いに接続されることによって、右中継基板８１と球検出器とが基盤６５の裏面６９の側において配線３６２により互いに接続される。右中継基板８１と主特別図柄表示器３８及び普通図柄表示器３９とが配線３６３により互いに接続される。つまり、配線３６３の一端に設けられた図外の接続用コネクタと右中継基板８１に設けられた主特別図柄表示器３８及び普通図柄表示器３９との接続用コネクタ３２１とが互いに接続され、配線３６３の他端に設けられた図外の接続用コネクタと主特別図柄表示器３８の駆動制御装置のような図外の駆動源及び普通図柄表示器３９の駆動制御装置のような図外の駆動源とが互いに接続されることによって、右中継基板８１と主特別図柄表示器３８の駆動源及び普通図柄表示器３９の駆動源とが配線３６３により互いに接続される。すなわち、図１３に示すように、主制御中継基板８７を経由した主制御基板８５からの配線３６０と球検出器５８；１３８からの配線３６１；３６２と特別図柄表示器駆動源及び普通図柄表示器の駆動源からの配線３６３とが、基盤６５の裏面６９に設けられた右中継基板８１に接続されたので、主制御基板８５で制御される入賞制御系統と演出制御基板９２で制御される電飾制御系統とを明確に区別でき、誤配線や誤点検を防止することができるという利点がある。配線３６３は配線保持部１４３により基盤６５の裏面６９に沿って保持されるので、配線３６３を安定に保持できる（図１０参照）。
【００３７】
左中継基板８０と盤用外部中継基板８２とが配線３６４により互いに接続される。つまり、配線３６４の一端に設けられた図外の接続用コネクタと左中継基板８０に設けられた盤用外部中継基板接続用コネクタ２２１とが互いに接続され、配線３６４の他端に設けられた図外の接続用コネクタと盤用外部中継基板８２に設けられた左中継接続用コネクタ３３１とが互いに接続されることによって、左中継基板８０と盤用外部中継基板８２とが基盤６５の裏面６９の側において配線３６４により互いに接続される。すなわち、主制御中継基板８７を経由した主制御基板８５からの配線３５０と盤用外部中継基板８２からの配線３６４とが、基盤６５の裏面６９に設けられた左中継基板８０に接続されたので、主制御基板８５で制御される入賞制御系統に関する情報を含む外部出力情報系統と演出制御基板９２で制御される電飾制御系統とを明確に区別でき、誤配線や誤点検を防止できるという利点がある（図１０；図１３参照）。
【００３８】
複合入賞部品２８の裏面に設けられた複合中継基板２８Ａと主制御中継基板８７とが配線３６５により互いに接続される。つまり、配線３６５の一端に設けられた図外の接続用コネクタと複合中継基板２８Ａに設けられた主制御中継基板接続用コネクタ３６６とが互いに接続され、配線３６５の他端に設けられた図外の接続用コネクタと主制御中継基板８７に設けられた図外の複合中継基板接続用コネクタとが互いに接続されることによって、複合中継基板２８Ａと主制御中継基板８７とが配線３６５により互いに接続される。すなわち、主制御中継基板８７を経由した主制御基板８５からの配線３６５と複合入賞部品２８に対する配線とが、複合中継基板２８Ａに接続されたので、主制御基板８５で制御される入賞制御系統と演出制御基板９２で制御される電飾制御系統とを明確に区別でき、誤配線や誤点検を防止できるという利点がある（図１０；図１３参照）。
【００３９】
スピーカ８ａや賞球ランプ８ｂや打止完了ランプ８ｃと電飾集合中継基板７２とが配線３７０により互いに接続される。つまり、配線３７０の一端に設けられた図外の接続用コネクタと電飾集合中継基板７２に設けられた枠コネクタ１５７とが互いに接続され、配線３７０の他端に設けられた図外の接続用コネクタとスピーカ８ａや賞球ランプ８ｂや打止完了ランプ８ｃを制御するための図外の枠制御基板に設けられた図外の接続用コネクタとが互いに接続されることによって、枠制御基板と電飾集合中継基板７２とが配線３７０により互いに接続される。すなわち、電飾集合中継基板７２を経由した演出制御基板９２に、スピーカ８ａや賞球ランプ８ｂや打止完了ランプ８ｃからの配線３７０が接続されたので、演出制御基板９２で制御される電飾制御系統と主制御基板８５で制御される入賞制御系統とを明確に区別でき、誤配線や誤点検を防止できるという利点がある（図９；図１０；図１３参照）。
【００４０】
図４に示すように、主制御基板８５と演出制御基板９２とが配線３７１により互いに接続される。つまり、配線３７１の一端に設けられた接続用コネクタ３７２と演出制御基板９２にもうけられた接続用コネクタ３７３とが互いに接続され、配線３７１の他端に設けられた接続用コネクタ３７４と主制御基板８５に設けられた接続用コネクタ３７５とが互いに接続されることによって、主制御基板８５と演出制御基板９２とが配線３７１により互いに接続される。これまでのことから、配線３７１は、主制御基板８５で制御される入賞制御系統と演出制御基板９２で制御される電飾制御系統との唯一の境界となり、入賞制御系統と電飾制御系統とを明確に区別でき、誤配線や誤点検を防止できるという利点がある（図１０；図１３参照）。
【００４１】
パチンコ機１Ａは、図１２に示すように、遊技光表示装置１を形成する遊技主体３を備え、遊技主体３は、遊技盤１５の前面１７に、センター飾り２４、始動入賞部品２７を備え、遊技盤１５の裏面４２に球案内体４５を備える。遊技主体３は、可動枠５の遊技主体収納部１６に収納搭載される。センター飾り２４は光表示部品５１として機能する。始動入賞部品２７は、光表示部品５１あるいは遊技部品５５あるいは駆動部品５６として機能する。球案内体４５の前面６８には、複数の電飾基板４７として電飾集合中継基盤７２、センター下電飾基板７３、始動電飾基板７７を備える。電飾集合中継基盤７２、センター下電飾基板７３、始動電飾基板７７同士が複数の配線７９により球案内体４５の前面６８の側で接続される。よって、作業者が球案内体４５の前面６８に設けられた複数の電飾基板４７同士の配線７９による接続形態を球案内体４５の前側から把握しようとして目視することによって、複数の電飾基板４７同士の配線７９による接続形態の良否を適切に把握することができる。球案内体４５の裏面６９には中継基板４８を備え、中継基板４８には、主制御中継基８７経由の主制御基板８５からの配線７９Ａと始動入賞部品２７（遊技部品５５）の球検出器５８からの配線７９Ｂと始動入賞部品２７の開閉体２７ａ（駆動部品５６）の始動ソレノイド２７ｂ（駆動源５７）からの配線７９Ｃとが接続された構成である。よって、主制御基板８５で制御される入賞制御系統と演出制御基板９２で制御される電飾制御系統とを明確に区別でき、誤配線や誤点検を防止することができる。尚、可動枠５の下部の裏面５ａには電源装置４００、発射払出制御基板４０１を備える。
【００４２】
図１３により制御系統を説明する。パチンコ機１Ａの図外の電源スイッチの投入により、電源装置４００から図外の電力供給配線を経由して主制御基板８５、発射払出制御基板４０１、演出制御基板９２に電力が供給される。主制御基板８５が電源スイッチのオン動作に伴う電力供給で起動し、球が球皿１２に入っている状態において、遊技者が発射操作機構１３を操作すると、発射払出制御基板４０１が発射機構１４を発射操作機構１３から出力された操作量に応じた発射力で例えば１分間に１か１００発未満までの所定数の間隔で駆動し、発射機構１４が球を１個ずつ遊技盤１５の発射通路３６に向けて発射する。発射通路３６に発射された球が、発射通路３６から球戻り防止弁３７を押し開けて遊技領域１９に到達した後に遊技領域１９を流下する過程において、いずれかの入賞部品に入賞したならば、球検出器５８などから入賞検出信号が主制御基板８５に出力される。始動入賞部品２７の球検出器５８で検出された始動入賞信号は図外の配線により主制御基板８５に出力される。左の作動部品２９ａの球検出器５８で検出された入賞信号、左袖の一般入賞部品３２ａの球検出器１３６で検出された入賞信号は、左中継基板８０及び主制御中継基板８７を経由して主制御基板８５に出力される。右の作動部品２６ｂの球検出器５８で検出された入賞信号、右袖の一般入賞部品３２ｂの球検出器１３８で検出された入賞信号は、右中継基板８１及び主制御中継基板８７を経由して主制御基板８５に出力される。複合入賞部品２８の左の一般入賞部品３４ａの球検出器５８、複合入賞部品２８の右の一般入賞部品３４ｂの球検出器５８、複合入賞部品２８の可変入賞部品３３の球検出器５８で検出された入賞検出信号は、複合中継基板２８Ａ及び主制御中継基板８７を経由して主制御基板８５に出力される。主制御基板８５は入賞検出信号の入力により、演出制御基板９２、主特別図柄表示器３８、普通図柄表示器３９、始動ソレノイド２７ｂ、可変ソレノイド３２ｂを制御する。演出制御基板９２は主制御基板８５から演出開始信号を入力することにより、演出表示装置９１を制御するとともに電飾集合中継基板７２及び電飾集合中継基板７２経由で各電飾基板７３〜７７、スピーカを制御する図外のスピーカ制御基板や賞球ランプ８ｂ及び打止完了ランプ８ｃを制御する図外のランプ制御基板に制御信号を出力し、光源７８、賞球ランプ８ｂや打止完了ランプ８ｃ、スピーカ８ａによる演出を制御する。また、主制御基板８７に記憶されたパチンコ機１Ａの情報は盤用外部中継基板８２経由でホールコンピュータ４０２に送信される。
【産業上の利用可能性】
【００４３】
光表示部品５１、遊技部品５５、駆動部品５６、駆動部品の駆動源５７は上述した部品とは異なる態様や形態のものでもよい。
【図面の簡単な説明】
【００４４】
【図１】図１は遊技光表示装置を示す断面図（最良の形態）。
【図２】遊技光表示装置を搭載したパチンコ機を前側から見た図（最良の形態）。
【図３】遊技光表示装置を形成する遊技主体の分解図（最良の形態）。
【図４】遊技主体を裏側から見た図（最良の形態）。
【図５】遊技基板搭載構造体を分解して球案内体の前側から見た図（最良の形態）。
【図６】遊技基板搭載構造体を分解して球案内体の前側から見た図（最良の形態）。
【図７】球案内体を前側から見た図（最良の形態）。
【図８】球案内体を裏側から見た図（最良の形態）。
【図９】電飾基板が取付けられた球案内体を前側から見た図（最良の形態）。
【図１０】中継基板が取付けられた球案内体を裏側から見た図（最良の形態）。
【図１１】電飾集合中継基板の球案内体の前面への取付構造を示す断面図（最良の形態）。
【図１２】遊技光表示装置を搭載したパチンコ機の縦断面（図２のＡ−Ａ断面に相当）（最良の形態）。
【図１３】パチンコ機の制御系統を示す制御ブロック図（最良の形態）。
【図１４】従来の遊技光表示装置を示す断面図。
【符号の説明】
【００４５】
１  遊技光表示装置、３  遊技主体、１５  遊技盤、１７  遊技盤の前面、
４２  遊技盤の裏面、４５  球案内体（裏側部品）、４７  電飾基板、４８  中継基盤、５１  光表示部品、５３  光透過孔、５５  遊技部品、５６  駆動部品、５７  駆動源、５８;１３６；１３８  球検出器、７９；７９Ａ〜７９Ｃ  配線、８５  主制御基板。
【図１】
2006326008.tif 000003
【図２】
2006326008.tif 000004
【図３】
2006326008.tif 000005
【図４】
2006326008.tif 000006
【図５】
2006326008.tif 000007
【図６】
2006326008.tif 000008
【図７】
2006326008.tif 000009
【図８】
2006326008.tif 000010
【図９】
2006326008.tif 000011
【図１０】
2006326008.tif 000012
【図１１】
2006326008.tif 000013
【図１２】
2006326008.tif 000014
【図１３】
2006326008.tif 000015
【図１４】
2006326008.tif 000016